(57)【要約】      （修正有）【課題】ネットワーク識別子の表示数を削減することができる無線通信端末、制御方法及びそのプログラムを提供する。【解決手段】無線通信端末は、基地局から受信したネットワーク識別子のうち、接続したことのない基地局のネットワーク識別子を非表示にする制御部を備える。【選択図】図２
2017011407.tif 000002
【特許請求の範囲】
【請求項１】
基地局から受信したネットワーク識別子のうち、接続したことのない前記基地局の前記ネットワーク識別子を非表示にする制御部と、
を備える無線通信端末。
【請求項２】
前記制御部は、接続したことのある前記基地局の前記ネットワーク識別子を表示する、請求項１記載の無線通信端末。
【請求項３】
前記基地局との接続履歴を記憶する記憶部と、を備え、
前記制御部は、前記接続履歴を参照し、接続したことのない前記基地局の前記ネットワーク識別子を非表示にする、
請求項１又は２に記載の無線通信端末。
【請求項４】
前記制御部は、接続した前記基地局の前記ネットワーク識別子を前記接続履歴に登録し、前記接続履歴における接続したことのある前記基地局の前記ネットワーク識別子の有無に基づき、受信した基地局のネットワーク識別子を表示する又は非表示とする
請求項３に記載の無線通信端末。
【請求項５】
前記制御部は、受信した前記ネットワーク識別子とその前記基地局との接続実績を前記接続履歴に登録し、前記接続履歴における接続実績の有無に基づき、受信した基地局のネットワーク識別子を表示する又は非表示とする
請求項３に記載の無線通信端末。
【請求項６】
前記制御部は、接続したことのない前記基地局の前記ネットワーク識別子を表示する又は非表示とする制御のＯＮ／ＯＦＦ機能を備える
請求項１から５のいずれか１つに記載の無線通信端末。
【請求項７】
前記基地局の前記ネットワーク識別子は、無線ＬＡＮ（Local Area Network）におけるアクセスポイントのＳＳＩＤ（Service Set Identifier）である、
請求項１から６のいずれか１つに記載の無線通信端末。
【請求項８】
前記アクセスポイントの１つに対し、複数のＳＳＩＤが割当てられている
請求項７記載の無線通信端末。
【請求項９】
基地局のネットワーク識別子を受信し、
受信した前記基地局の前記ネットワーク識別子のうち、接続したことのない前記基地局の前記ネットワーク識別子を非表示にする制御方法。
【請求項１０】
基地局のネットワーク識別子を受信し、
受信した基地局のネットワーク識別子のうち、接続したことのない前記基地局の前記ネットワーク識別子を非表示にすることをコンピュータに実行させるプログラム。
【発明の詳細な説明】
【技術分野】
【０００１】
本発明は、基地局を識別するためのネットワーク識別子の表示制御に関する。
【背景技術】
【０００２】
現在広く普及しているスマートフォン、タブレット端末又はパーソナルコンピュータ等の無線通信端末には、無線ＬＡＮ（Local Area Network）用の通信インタフェースが搭載されている。
【０００３】
このような無線通信端末は、周辺に設置されたアクセスポイントが報知するネットワーク識別子を検出し、アクセスポイントを識別する。無線通信端末からアクセスポイントに接続する場合、認証情報を端末に登録し、認証情報を用いてアクセスポイントに接続する。認証情報は、アクセスポイントの接続サービスを提供するサービス事業者の認証装置又はアクセスポイント管理者の認証装置から、アクセスポイントに接続する。無線通信端末は、接続履歴のあるアクセスポイントについては、認証情報との組合せによって自動的にアクセスポイントに接続させることも可能である。
【０００４】
特許文献１には、簡易的なアクセスポイントを生成して外部装置と接続する方法と、外部のアクセスポインを介して外部装置と接続する方法と、を見分けるためにアクセスポイントとの接続履歴を利用することが記載されている。
【先行技術文献】
【特許文献】
【０００５】
【特許文献１】特開２０１４−１３１１０３号公報
【発明の概要】
【発明が解決しようとする課題】
【０００６】
上述の無線通信端末では、基地局の数に応じて、報知されるネットワーク識別子の数が増えることになる。例えば、無線ＬＡＮでは、各家庭内で１台、オフィス内で複数台の無線ＬＡＮのアクセスポイントがネットワーク識別子であるＳＳＩＤを報知しており、無線通信端末で表示されるＳＳＩＤは常に表示限度を超え、スクロール表示によるＳＳＩＤが必須となっている。
【０００７】
このように、無線通信端末の周辺の基地局の数に応じて、ネットワーク識別子が表示されるため、ネットワーク識別子の表示数を削減する技術の提供が望まれていた。
【０００８】
本発明の目的は、上記課題を解決するための技術を提供することにある。
【課題を解決するための手段】
【０００９】
本発明の無線通信端末は、基地局から受信したネットワーク識別子のうち、接続したことのない前記基地局の前記ネットワーク識別子を非表示にする制御部と、を備える。
【００１０】
本発明の制御方法は、基地局のネットワーク識別子を受信し、受信した前記基地局の前記ネットワーク識別子のうち、接続したことのない前記基地局の前記ネットワーク識別子を非表示にする。
【００１１】
本発明のプログラムは、基地局のネットワーク識別子を受信し、受信した前記基地局の前記ネットワーク識別子のうち、接続したことのない前記基地局の前記ネットワーク識別子を非表示にすることをコンピュータに実行させる。
【発明の効果】
【００１２】
本発明は、ネットワーク識別子の表示数を削減することができる。
【図面の簡単な説明】
【００１３】
【図１】第１の実施形態の無線通信端末を含む無線通信システムの概要図である。
【図２】第１の実施形態の無線通信端末の構成を示すブロック図である。
【図３】第１の実施形態の無線通信端末の構成を示すブロック図である。
【図４】接続履歴の一例を示すデータシートである。
【図５】接続履歴の他の例を示すデータシートである
【図６】無線通信端末の表示制御の有／無による表示の違いを示す概要図である。
【図７】第１の実施形態に係る無線通信端末の動作を示すフローチャートである。
【図８】無線通信端末の制御部における表示制御の動作を示すフローチャートである。
【図９】無線通信端末の制御部における表示制御のＯＮ／ＯＦＦを伴う動作を示すフローチャートである。
【図１０】無線通信端末の制御部におけるネットワーク識別子の登録動作を示すフローチャートである。
【図１１】第１の実施形態の無線通信端末の制御部をコンピュータ装置で実現したハードウエア構成を示すブロック図である。
【発明を実施するための形態】
【００１４】
本発明の第１の実施形態に係る無線通信端末を含む無線通信システムについて、図面を用いて説明する。
【００１５】
［無線通信システムの構成］
図１は、第１の実施形態の無線通信端末を含む無線通信システムの概要図である。図１に示すように、無線通信システム３０は、無線通信端末１０、基地局２０を備える。無線通信端末１０と基地局２０は、それぞれ同じ無線規格の通信インタフェースを有し、基地局２０（１）、基地局２０（２）、・・・、基地局２０（ｎ）（ｎは、１以上の整数）のそれぞれは、無線通信端末１０と接続可能である。
【００１６】
基地局２０は、複数の無線通信端末１０を相互に接続する、あるいは、異なるネットワークの通信インタフェースを介して無線通信端末１０と外部ネットワークとの接続を可能にする。なお、以下の説明において、個別の基地局として説明する場合は、基地局２０（ｎ）のように表し、基地局２０全般として説明する場合は、基地局２０と表す。
【００１７】
基地局２０（１）〜２０（ｎ）は、基地局を識別するためのネットワーク識別子をそれぞれ周辺に報知する。無線通信端末１０は、基地局２０（１）〜２０（ｎ）が報知したネットワーク識別子を受信することで、無線通信端末１０と接続可能な基地局２０（１）〜２０（ｎ）の存在を検知する。
【００１８】
図１において、無線通信端末１０が、基地局２０（１）〜２０（ｎ）が報知したネットワーク識別子が受信可能な領域に位置している。すなわち、無線通信端末１０は、基地局２０（１）〜２０（ｎ）のいずれかと接続可能な位置にいる。
【００１９】
無線通信端末１０は、検知した基地局２０（１）〜２０（ｎ）のうち、所望の基地局２０（ｎ）に対して接続要求を通知する。例えば、接続要求を受けた基地局２０（１）は、無線通信端末１０との無線通信のために割当てる通信資源（帯域）の有無を判断して、無線通信端末１０にその結果を通知する。
【００２０】
基地局２０（１）からの通知が、接続許可ではない場合、無線通信端末１０は、ネットワーク識別子を受信した他の基地局２０（２）に対して接続要求を通知する。無線通信端末１０は、基地局２０（２）から接続許可の通知後、基地局２０に接続して基地局２０（２）とデータ通信を開始する。
【００２１】
無線通信システム３０の一例は、無線ＬＡＮシステムである。この場合、基地局２０は、無線ＬＡＮのアクセスポイント（親機）に相当し、無線通信端末１０は、無線ＬＡＮのクライアント端末（子機）に相当する。また、ネットワーク識別子は、例えば、ＳＳＩＤ（Service Set Identifier）に相当する。
【００２２】
［無線通信端末の構成］
次に、第１の実施形態に係る無線通信端末の構成について、図１、図２を用いて説明する。図２は、第１の実施形態の無線通信端末の構成を示すブロック図である。図２に示すように、無線通信端末１０は、制御部１１を備える。また、無線通信端末１０は、基地局２０と無線通信するための通信インタフェース（図示せず）、基地局２０から受信したネットワーク識別子を表示するための表示部（図示せず）とを備える。
【００２３】
無線通信端末１０は、周辺の基地局２０からネットワーク識別子を受信すると、無線通信端末１０の制御部１１は、基地局２０から受信したネットワーク識別子のうち、接続したことのない基地局２０のネットワーク識別子を非表示にする。
【００２４】
例えば、無線通信端末１０は、基地局２０（２）以外と接続したことがない場合、無線通信端末１０の制御部１１は、ネットワーク識別子を受信した基地局２０（１）〜２０（ｎ）のうち、基地局２０（２）以外のネットワーク識別子が非表示となるように制御する。そして、制御部１１は、接続したことのある基地局２０（２）のネットワーク識別子を表示部に表示出力する。
【００２５】
制御部１１は、例えば、無線通信端末１０と基地局２０との接続履歴を参照することで、基地局２０のネットワーク識別子の表示／非表示を判別することができる。図３は、記憶部が追加された第１の実施形態の無線通信端末１０の構成を示す。図３に示す記憶部１２には、制御部１１と接続され、無線通信端末１０と基地局２０との接続履歴が保存されている。
【００２６】
図４は、無線通信端末１０と基地局２０との接続履歴の一例を示すデータである。図４は、無線通信システム３０が、無線ＬＡＮシステムの例であり、基地局２０のネットワーク識別子として、アクセスポイント毎のＳＳＩＤが登録されている。
【００２７】
図４に示す接続履歴は、接続したことのある基地局２０のネットワーク識別子が登録され、接続したことのない基地局２０のネットワーク識別子は登録されていない。制御部１１は、受信したネットワーク識別子と接続履歴に登録されたネットワーク識別子とを比較し、接続履歴のネットワーク識別子の有無に基づき、無線通信端末１０と基地局２０との接続の有無を識別する。制御部１１は、識別結果に基づき、受信した基地局２０のネットワーク識別子に対する表示／非表示を制御する。
【００２８】
図５は、他の接続履歴の一例を示すデータである。図５の例も無線ＬＡＮシステムの例である。図５に示す接続履歴は、基地局２０との接続の有無にかかわらず、受信したネットワーク識別子が登録されている。さらに、登録された各基地局２０のネットワーク識別子に対応して、接続実績の有無を示すデータ「０」、「１」が登録されている。図５の例では、接続したことのないアクセスポイントＡＰ１〜４、６、７のＳＳＩＤには「０」が付与され、接続したことのあるアクセスポイントのＡＰ５、ＡＰ８のＳＳＩＤには「１」が付与されている。図５の例では、アクセスポイントの１つに対し、１つのＳＳＩＤが割当てられているが、複数のＳＳＩＤが割当てられていてもよい。
【００２９】
制御部１１は、受信したネットワーク識別子と接続履歴に登録されたネットワーク識別子の接続実績のデータを参照し、接続履歴のネットワーク識別子の接続実績データに基づき、無線通信端末１０と基地局２０との接続の有無を識別する。制御部１１は、識別結果に基づき、受信した基地局２０のネットワーク識別子に対する表示／非表示を制御する。
【００３０】
また、制御部１１は、接続したことのない基地局２０のネットワーク識別子を表示する又は非表示とする制御のＯＮ／ＯＦＦ機能を備える。図６は、制御部１１の表示制御ＯＮ又は表示制御ＯＦＦによる表示の変化を示す概要図である。図６は、無線通信システムとして無線ＬＡＮシステムを用いた例である。
【００３１】
図６（ａ）は、表示制御がＯＦＦのときのＳＳＩＤの表示を示す。図６（ａ）では、制御部１１がアクセスポイントから受信したＳＳＩＤに対して、アクセスポイントと接続の有無に関係なく、受信したアクセスポイントのＳＳＩＤが表示される。
【００３２】
一方、図６（ｂ）は、表示制御がＯＮのときのＳＳＩＤの表示を示す。図６（ｂ）では、制御部１１がアクセスポイントから受信したＳＳＩＤに対して、アクセスポイントと接続したことのないＳＳＩＤが非表示とされ、接続したことにあるＳＳＩＤが表示される。
【００３３】
図６に示すように、接続したことのあるアクセスポイントの区別が容易となる。
【００３４】
なお、無線通信端末１０の制御部１１は、電子回路で構成する、あるいは、無線通信端末が備えるＣＰＵに制御部１１の処理が記述されたプログラムを実行させる構成することができる。また記憶部１２は、ＲＡＭ（Random Access Memory）又は不揮発性メモリを用いることができる。表示制御のＯＮ／ＯＦＦ機能は、回路スイッチで構成してもよく、プログラムで表示制御のＯＮ／ＯＦＦをスイッチしてもよい。
【００３５】
［無線通信端末の動作］
次に、第１の実施形態に係る無線通信端末の動作について、図７〜図１０を用いて説明する。なお、図７〜図１０のフローチャートで同じ動作については、図面に同一のステップ番号を付して詳細な説明は省略する。
【００３６】
図７は、第１の実施形態の無線通信端末の動作を示すフローチャートである。まず、無線通信端末１０の受信部（図示せず）は、周辺の基地局２０のネットワーク識別子を受信する（Ｓ１２）。無線通信端末１０の制御部１１は、基地局２０から受信したネットワーク識別子の表示／非表示を制御する（Ｓ１４）。
【００３７】
図８は、無線通信端末の制御部における表示制御の動作を示すフローチャートである。制御部１１は、受信した基地局２０のネットワーク識別子のうち、接続したことのある基地局のネットワーク識別子があるかを識別する（Ｓ２２）。制御部１１は、接続したことのない基地局２０のネットワーク識別子を非表示にし、接続したことにある基地局２０のネットワーク識別子を表示するように制御する。
【００３８】
具体的には、制御部１１は、接続したことにある基地局２０の識別子がある場合（Ｓ２２のＹ）、接続したことのある基地局２０のネットワーク識別子を抽出（Ｓ２４）し、抽出したネットワーク識別子を出力する（Ｓ２６）。表示部は出力されたネットワーク識別情報を出力する。
【００３９】
一方、制御部１１は、接続したことのある基地局２０がない場合（Ｓ２２のＮ）、受信した基地局２０のネットワーク識別子を抽出する（Ｓ２８）。制御部１１は、ステップＳ２８で抽出したネットワーク識別子を出力する（Ｓ２６）。ステップＳ２２がＮとなる場合、接続履歴に関わらず受信したネットワーク識別子は表示されることになる。
【００４０】
図８に示す表示制御の動作の例は、受信したネットワーク識別子のうち、接続したことのある基地局の有無に応じて、制御部１１の表示制御のＯＮ／ＯＦＦが切り替わる例を示している。これに対し、接続したことのある基地局の有無によらず、ネットワーク識別子の表示制御ＯＮ／ＯＦＦの選択により、いずれか一方に固定することも可能である。
【００４１】
図９は、無線通信端末の制御部における表示制御のＯＮ／ＯＦＦを伴う動作を示すフローチャートである。
【００４２】
無線通信端末１０は、入力部（図示せず）を介して制御部１１の表示制御のＯＮ／ＯＦＦの選択情報を取得する。制御部１１は、取得した選択情報が表示制御ＯＮ又は表示制御ＯＦＦのいずれかを確認する（Ｓ３０）。
【００４３】
表示制御ＯＮの場合（Ｓ３０がＯＮ）、制御部１１は、ステップＳ２４に進み、接続したことのある基地局２０のネットワーク識別子を抽出（Ｓ２４）し、抽出したネットワーク識別子を出力する（Ｓ２６）。表示部は出力されたネットワーク識別情報を出力する。
【００４４】
なお、ステップＳ２４で受信した基地局２０のネットワーク識別子のうち、接続したことのある基地局２０のネットワーク識別子が無い場合、当該ネットワーク識別子の表示を「０件」とする表示制御をしてもよい。
【００４５】
表示制御ＯＦＦの場合（Ｓ３０がＯＦＦ）制御部１１は、ステップ２８に進み、受信した基地局２０のネットワーク識別子を抽出する（Ｓ２８）。制御部１１は、ステップＳ２８で抽出したネットワーク識別子を出力する（Ｓ２６）。
【００４６】
次に、図１０は、無線通信端末の制御部におけるネットワーク識別子の登録動作を示すフローチャートである。
【００４７】
無線通信端末１０の受信部（図示せず）は、基地局のネットワーク識別子を受信する（Ｓ１２）次に、制御部１１は、受信したネットワーク識別子の基地局に接続したか（Ｓ４４）否かに応じて、ネットワーク識別子の登録を実施する。受信したネットワーク識別子の基地局に接続した場合（Ｓ４４のＹ）、制御部１１は、記憶部１２に接続した基地局のネットワーク識別子を登録する。一方、受信したネットワーク識別子の基地局に接続していない場合（Ｓ４４のＮ）は、記憶部１２に登録せずに終了する。
【００４８】
［第１の実施形態の効果］
本発明によれば、ネットワーク識別子の表示数を削減することができる。その理由は、制御部が、受信した基地局のネットワーク識別子のうち、接続したことのない基地局のネットワーク識別子を非表示にするからである。
【００４９】
［その他の変形例］
上記の無線通信端末１０は、無線ＬＡＮシステムの無線クライアント端末に適用可能である。例えば、無線クライアント端末が、接続履歴のないアクセスポイントを検出しても、ユーザへの通知を行わないモード（ユーザ非通知モードと示す）を追加することができる。また、通知モードとユーザ非通知モードの切り替え可能な無線ＬＡＮシステムの無線クライアント端末を提供することができる。
【００５０】
ユーザ非通知モードをＯＮにすることで、無線クライアント端末は、接続履歴のないアクセスポイントを検出してもユーザ通知を出力しなくなる。このため、検出の度に出力されていたユーザ通知を閉じる操作が軽減される。また、新たに接続したいアクセスポイントがある場合、ユーザ非通知モードをＯＦＦにすることで、接続認証を設定することが可能となる。
【００５１】
また、上記の実施形態の具体例では、無線ＬＡＮを用いて説明したが、これに限られるものではない。例えば、基地局がネットワーク識別子を報知し、無線通信端末がネットワーク識別子を受信して表示する無線通信システムであれば、他の通信規格でも適用可能である。
【００５２】
（ハードウエア構成）
図１１は、第１の実施形態の無線通信端末１０の制御部をコンピュータ装置で実現したハードウエア構成を示す図である。
【００５３】
図１１に示すように、無線通信端末１０の制御部は、ＣＰＵ（Ｃｅｎｔｒａｌ  Ｐｒｏｃｅｓｓｉｎｇ  Ｕｎｉｔ）９１、ネットワーク接続用の通信Ｉ／Ｆ（通信インターフェース）９２、メモリ９３、及び、プログラムを格納するハードディスク等の記憶装置９４を含む。また、無線通信端末１０の制御部は、システムバス９７を介して入力装置９５及び、出力装置９６に接続されている。
【００５４】
ＣＰＵ９１は、オペレーティングシステムを動作させて本発明の第１の実施形態の無線通信端末を制御する。またＣＰＵ９１は、例えば、ドライブ装置に装着された記録媒体からメモリ９３にプログラムやデータを読み出す。
【００５５】
また、ＣＰＵ９１は、例えば、無線通信端末に入力される情報信号を処理する機能を有し、プログラムに基づいて各種機能の処理を実行する。
【００５６】
記憶装置９４は、例えば、光ディスク、フレキシブルディスク、磁気光ディスク、外付けハードディスク、又は半導体メモリ等である。記憶装置９４の一部の記憶媒体は、不揮発性記憶装置であり、そこにプログラムを記憶する。また、プログラムは、通信網に接続されている図示しない外部コンピュータからダウンロードされてもよい。
【００５７】
入力装置９５は、例えば、マウス、キーボード、キーボタン、又は、タッチパネルなどで実現され、入力操作に用いられる。
【００５８】
出力装置９６は、例えば、ディスプレイで実現され、ＣＰＵ９１により処理された情報等を出力して確認するために用いられる。
【００５９】
以上のように、本発明の各実施形態は、図１１に示されるハードウエア構成によって実現される。但し、無線通信端末が備える各部の実現手段は、特に限定されない。すなわち、無線通信端末を構成する制御部の機能は、物理的に結合した一つの装置により実現されてもよいし、物理的に分離した二つ以上の装置を有線又は無線で接続し、これら複数の装置により実現してもよい。
【００６０】
以上、実施形態（及び実施例）を参照して本願発明を説明したが、本願発明は上記実施形態（及び実施例）に限定されものではない。本願発明の構成や詳細には、本願発明のスコープ内で当業者が理解し得る様々な変更をすることができる。
【００６１】
上記の実施形態の一部又は全部は、以下の付記のように記載されうるが、以下には限られない。
【００６２】
（付記１）
基地局から受信したネットワーク識別子のうち、接続したことのない前記基地局の前記ネットワーク識別子を非表示にする制御部と、
を備える無線通信端末。
【００６３】
（付記２）
前記制御部は、接続したことのある前記基地局の前記ネットワーク識別子を表示する、付記１記載の無線通信端末。
【００６４】
（付記３）
前記基地局との接続履歴を記憶する記憶部と、を備え、
前記制御部は、前記接続履歴を参照し、接続したことのない前記基地局の前記ネットワーク識別子を非表示にする、
付記１又は２に記載の無線通信端末。
【００６５】
（付記４）
前記制御部は、接続した前記基地局の前記ネットワーク識別子を前記接続履歴に登録し、前記接続履歴における接続したことのある前記基地局の前記ネットワーク識別子の有無に基づき、受信した基地局のネットワーク識別子を表示する又は非表示とする
付記３に記載の無線通信端末。
【００６６】
（付記５）
前記制御部は、受信した前記ネットワーク識別子とその前記基地局との接続実績を前記接続履歴に登録し、前記接続履歴における接続実績の有無に基づき、受信した基地局のネットワーク識別子を表示する又は非表示とする
付記３に記載の無線通信端末。
【００６７】
（付記６）
前記制御部は、接続したことのない前記基地局の前記ネットワーク識別子を表示する又は非表示とする制御のＯＮ／ＯＦＦ機能を備える
付記１から５のいずれか１つに記載の無線通信端末。
【００６８】
（付記７）
前記基地局の前記ネットワーク識別子は、無線ＬＡＮ（Local Area Network）におけるアクセスポイントのＳＳＩＤ（Service Set Identifier）である、
付記１から６のいずれか１つに記載の無線通信端末。
【００６９】
（付記８）
前記アクセスポイントの１つに対し、複数のＳＳＩＤが割当てられている
付記７記載の無線通信端末。
【００７０】
（付記９）
基地局のネットワーク識別子を受信し、
受信した前記基地局の前記ネットワーク識別子のうち、接続したことのない前記基地局の前記ネットワーク識別子を非表示にする制御方法。
【００７１】
（付記１０）
基地局のネットワーク識別子を受信し、
受信した前記基地局の前記ネットワーク識別子のうち、接続したことのない前記基地局の前記ネットワーク識別子を非表示にすることをコンピュータに実行させるプログラム。
【符号の説明】
【００７２】
１０  無線通信端末
１１  制御部
１２  記憶部
２０、２０（１）、２０（２）、２０（ｎ）  基地局
３０  無線通信システム
９１  ＣＰＵ
９２  通信Ｉ／Ｆ（通信インターフェース）
９３  メモリ
９４  記憶装置
９５  入力装置
９６  出力装置
９７  システムバス
【図１】
2017011407.tif 000003
【図２】
2017011407.tif 000004
【図３】
2017011407.tif 000005
【図４】
2017011407.tif 000006
【図５】
2017011407.tif 000007
【図６】
2017011407.tif 000008
【図７】
2017011407.tif 000009
【図８】
2017011407.tif 000010
【図９】
2017011407.tif 000011
【図１０】
2017011407.tif 000012
【図１１】
2017011407.tif 000013